(57)【特許請求の範囲】
【請求項１】
板状の本体部を備え、
該本体部に、
所定の幅、所定の厚さを有し、弾性変形可能な締め紐を導入する導入孔と、
該導入孔に右端が連通し、前記導入孔内の前記締め紐を第１の係止スリットへ案内する横方向へ延びた第１の案内スリットと、
前記導入孔に左端が連通し、前記導入孔内の前記締め紐を第２の係止スリットへ案内する横方向へ延びた第２の案内スリットと、
前記第１の案内スリットの左端に縦方向の中間部分が連通し、前記第１の案内スリットからの前記締め紐を係止する縦方向へ延びた前記第１の係止スリットと、
前記第２の案内スリットの右端に縦方向の中間部分が連通し、前記第２の案内スリットからの前記締め紐を係止する縦方向へ延びた前記第２の係止スリットとが設けられ、
前記第１の係止スリットの両端部に、前記第１の係止スリットの幅よりも大きな直径で、前記締め紐の幅方向の端部を収容する端部収容孔を設けるとともに、
前記第２の係止スリットの両端部に、前記第２の係止スリットの幅よりも大きな直径で、前記締め紐の幅方向の端部を収容する端部収容孔とを設け、
前記第１の係止スリットを形成する壁部の厚さ方向の端部に係止エッジを設けるとともに、
前記第２の係止スリットを形成する壁部の厚さ方向の端部に係止エッジを設けた、
ことを特徴とするマスクの締め紐長さ調整具。
【請求項２】
請求項１に記載のマスクの締め紐長さ調整具において、
前記第１の案内スリットの右端部に円弧状の第１のガイド部を設けるとともに、
前記第２の案内スリットの左端部に円弧状の第２のガイド部を設けた、
ことを特徴とするマスクの締め紐長さ調整具。
【請求項３】
請求項１または請求項２に記載のマスクの締め紐長さ調整具を用いた、
ことを特徴とするマスク。
【発明の詳細な説明】
【技術分野】
【０００１】
この発明は、塵埃の多い場所、例えば、工事現場などで作業中に、塵埃を吸い込むのを防止するマスク、および、そのマスクにおける締め紐の有効長さを調整するマスクの締め紐長さ調整具に関するものである。
【背景技術】
【０００２】
上記した従来のマスクの一例として、マスクに取り付けたゴム紐（締め紐）を二重（２つ）折りにして中空状の管（締め紐長さ調整具）に挿通し、ゴム紐に対する管の位置を調整することにより、ゴム紐の有効長さを調整するもの提案されている（例えば、特許文献１参照）。
【０００３】
このマスクにおける管は、プラスチックの管などを適当な長さに切断することによって製作できるので、部品代を抑える（安くする）ことができる。
【０００４】
また、従来のマスクの他の例として、止め具（締め紐長さ調整具）に設けた２つのコ字状の切り溝の壁部と２つの弾性プレートとによって締め紐を挟み込み、切り溝の壁部と弾性プレートとによって挟み込む締め紐の位置を調整することにより、締め紐の有効長さを調整するものが提案されている（例えば、特許文献２参照）。
【０００５】
このマスクにおける止め具は、弾性を有するプレートを成形する際、コ字状の切り溝を２つ設けることにより、２つの弾性プレートも同時に形成できる構造（形状）なので、部品代を抑えることができる。
【０００６】
また、従来のマスクのさらに他の例として、クリップ（締め紐長さ調整具）に設けたΣ形状の連結スリットからこの連結スリットの両端に設けた装着スリットへストラップ（締め紐）を移動させて装着スリットによってストラップを挟み込み、装着スリットによって挟み込むストラップの位置を調整することにより、ストラップの有効長さを調整するものが提案されている（例えば、特許文献３参照）。
【０００７】
このマスクにおけるクリップは、プレートを成形する際、連結スリットと２つの装着スリットとを設けることにより、形成できる構造（形状）なので、部品代を抑えることができる。
そして、連結スリットから２つの装着スリットへストラップを移動させて２つの装着スリットによってストラップを挟み込む（係止する）構成（構造）なので、クリップへのストラップの挿通（取付）が行い易い。
【先行技術文献】
【特許文献】
【０００８】
【特許文献１】特開平７−１８５０２７号公報
【特許文献２】特開２００５−２１８号公報
【特許文献３】特開２００５−１５２２２９号公報
【発明の概要】
【発明が解決しようとする課題】
【０００９】
上記した特許文献１に記載されているマスクにおける管（締め紐長さ調整具）は、二重（２つ）折りにしたゴム紐を中空状の管に挿通するのが難しく、面倒なため、製造コストが上昇する。
【００１０】
上記した特許文献２に記載されているマスクにおける止め具（締め紐長さ調整具）は、２つの切り溝を連絡する連絡溝が設けられていない。
したがって、締め紐をマスク本体に溶着などによって取り付けた後、止め具を締め紐に取り付けることができない。
【００１１】
上記した特許文献３に記載されているマスクにおけるクリップ（締め紐長さ調整具）は、２つの装着スリットを連絡する連結スリットが設けられている。
したがって、ストラップをマスク本体に溶着などによって取り付けた後においても、クリップをストラップに取り付けることができる。
しかしながら、特許文献３におけるクリップは、装着スリットと連絡スリットとが取り付けるストラップの幅方向へ直線状に連なっているので、ストラップの有効長さを調整するためにストラップを引っ張ると、ストラップを引っ張る方向により、ストラップが装着スリットから連絡スリットへ抜け出る。
【００１２】
また、特許文献３におけるクリップは、連結スリットの両端から２つの連絡スリットが互いに離れる方向へ延びているので、ストラップの有効長さを調整するためにストラップを引っ張ると、ストラップが間隔を狭める方向へ近づくことにより、ストラップが装着スリットから連絡スリットへ抜け出る可能性がある。
したがって、マスクの使用中にストラップの有効長さを調整した場合、マスクが顔面から外れる可能性がある。
【００１３】
この発明は、上記した不都合を解消するためになされたもので、締め紐をマスク本体に取り付けた後からでも締め紐に取り付けることができ、締め紐の有効長さを調整する際に締め紐が係止スリットから抜け出ることのないマスクの締め紐長さ調整具、および、これを用いたマスクを提供するものである。
【課題を解決するための手段】
【００１４】
この発明の、マスクの締め紐長さ調整具は、板状の本体部を備え、該本体部に、所定の幅、所定の厚さを有し、弾性変形可能な締め紐を導入する導入孔と、該導入孔に右端が連通し、前記導入孔内の前記締め紐を第１の係止スリットへ案内する横方向へ延びた第１の案内スリットと、前記導入孔に左端が連通し、前記導入孔内の前記締め紐を第２の係止スリットへ案内する横方向へ延びた第２の案内スリットと、前記第１の案内スリットの左端に縦方向の中間部分が連通し、前記第１の案内スリットからの前記締め紐を係止する縦方向へ延びた前記第１の係止スリットと、前記第２の案内スリットの右端に縦方向の中間部分が連通し、前記第２の案内スリットからの前記締め紐を係止する縦方向へ延びた前記第２の係止スリットとが設けられ、前記第１の係止スリットの両端部に、前記第１の係止スリットの幅よりも大きな直径で、前記締め紐の幅方向の端部を収容する端部収容孔を設けるとともに、前記第２の係止スリットの両端部に、前記第２の係止スリットの幅よりも大きな直径で、前記締め紐の幅方向の端部を収容する端部収容孔とを設け、前記第１の係止スリットを形成する壁部の厚さ方向の端部に係止エッジを設けるとともに、前記第２の係止スリットを形成する壁部の厚さ方向の端部に係止エッジを設けたことを特徴とする。
【００１５】
また、この発明のマスクは、上記したマスクの締め紐長さ調整具を用いたことを特徴とする。
【発明の効果】
【００１６】
この発明のマスクの締め紐長さ調整具によれば、導入孔と第１、第２の係止スリットとが第１、第２の案内スリットによって連通しているので、締め紐をマスク本体に取り付けた後からでも、マスクの締め紐長さ調整具を締め紐に取り付けることができる。
また、第１の係止スリットと第１の案内スリットとが交差しているとともに、第１の係止スリットの縦方向の中間部分に第１の案内スリットが連通し、第２の係止スリットと第２の案内スリットとが交差しているとともに、第２の係止スリットの縦方向の中間部分に第１の案内スリットが連通している。
したがって、締め紐の有効長さを調整する際、締め紐を引っ張っても、第１の係止スリットおよび第２の係止スリットを形成する壁部が、締め紐が間隔を狭める方向へ近づくのを阻止するため、締め紐が第１、第２の係止スリットから抜け出なくなる。
また、第１の係止スリットの両端に端部収容孔が設けられて抵抗エッジが形成されるとともに、第２の係止スリットの両端に端部収容孔が設けられて抵抗エッジが形成されているので、締め紐の幅方向の端部が中央へ異動するのを抵抗エッジによって阻止されるため、締め紐が第１、第２の係止スリットから第１、第２の案内スリットへ一層抜け難くなる。
また、第１の係止スリットの端部に係止エッジが形成されるとともに、第２の係止スリットの端部に係止エッジが形成されているので、締め紐が長さ方向に引っ張られて有効長さが長くなるのを係止エッジによって阻止されるため、締め紐の有効長さが変化し難くなる。
【図面の簡単な説明】
【００１７】
【図１】この発明の、マスクの締め紐長さ調整具の第１実施例を示す図で、（ａ）は平面図、（ｂ）は（ａ）のＢ−Ｂ線による断面図、（ｃ）は（ａ）のＣ−Ｃ線による部分断面図である。
【図２】この発明のマスクの第１実施例を示す正面図である。
【図３】図２に示したマスクの使用例を示す説明図である。
【図４】締め紐の締め紐長さ調整具への取付例を示す説明図である。
【図５】この発明のマスクの第２実施例を示す正面図である。
【図６】図５に示したマスクの使用例を示す説明図である。
【図７】この発明のマスクの第３実施例を示す正面図である。
【図８】図７に示したマスクの使用例を示す説明図である。
【図９】この発明の、マスクの締め紐調整具の他の実施例を示す図で、（ａ）はこの発明の、マスクの締め紐長さ調整具の第２実施例を示す平面図、（ｂ）はこの発明の、マスクの締め紐長さ調整具の第３実施例を示す平面図、（ｃ）はこの発明の、マスクの締め紐長さ調整具の第４実施例を示す平面図である。
【図１０】この発明の、マスクの締め紐調整具のさらに他の実施例を示す図で、（ａ）はこの発明の、マスクの締め紐長さ調整具の第５実施例を示す平面図、（ｂ）はこの発明の、マスクの締め紐長さ調整具の第６実施例を示す平面図、（ｃ）はこの発明の、マスクの締め紐長さ調整具の第７実施例を示す平面図である。
【図１１】この発明の、マスクの締め紐長さ調整具の第８実施例を示す平面図である。
【図１２】この発明のマスクの第４実施例を示す正面図である。
【図１３】図１２に示したマスクの使用例を示す説明図である。
【図１４】マスクの締め紐調整具の参考例を示す平面図である。
【発明を実施するための形態】
【００１８】
以下、この発明の実施例を、図面を参照して説明する。
【００１９】
図１はこの発明の、マスクの締め紐長さ調整具（以下、単に“締め紐長さ調整具”と記述する）の第１実施例を示す図である。
【００２０】
締め紐長さ調整具３１は、装着者がマスクを装着するときに使用する締め紐の有効長さを調整するもので、所定の強度を有するプラスチック（樹脂）、例えば、ポリプロピレンで、平面視横長の長方形をした板状に成形され、その四隅の角を丸めた本体部３２によって構成されている。
なお、締め紐長さ調整具３１は、長方形だけでなく、長円状や円形形状であってもよい。
【００２１】
この本体部３２には、導入孔３３、第１の案内スリット３４、第２の案内スリット３６、第１の係止スリット３８、第２の係止スリット４４などが設けられている。
【００２２】
上記した導入孔３３は、横長（図１（ａ）における左右方向）の本体部３２の中央部分に縦方向（図１（ａ）における上下方向：以下、同じ）に、二重（２つ）折りにした締め紐を挿入できる長さ、幅とした大きさで設けられている。
【００２３】
上記した第１の案内スリット３４は、導入孔３３の縦方向の左側中間部分、例えば、左側中央部分に右端が連通するように、本体部３２の左側に横方向（図１（ａ）における左右方向：以下、同じ）に設けられている。
上記した第２の案内スリット３６は、導入孔３３の縦方向の右側中間部分、例えば、右側中央部分に左端が連通するように、本体部３２の右側に横方向に設けられている。
したがって、第１の案内スリット３４と第２の案内スリット３６とは、横方向へ延びる同一直線状に位置している。
【００２４】
そして、第１の案内スリット３４の右端部、すなわち、導入孔３３との接続部分に、締め紐の導入を容易にするため、円弧状の第１のガイド部３５が設けられている。
同様に、第２の案内スリット３６の左端部、すなわち、導入孔３３との接続部分に、締め紐の導入を容易にするため、円弧状の第２のガイド部３７が設けられている。
【００２５】
上記した第１の案内スリット３４および第２の案内スリット３６の幅（図１（ａ）における上下方向）は、弾性変形可能な締め紐を引っ張って厚さを薄くした状態にすると、締め紐を移動（通過）させることができ、締め紐を引っ張るのを解除して厚くした状態にすると、締め紐を移動（通過）させことができなくなる間隔にされている。
さらに、締め紐長さ調整具３１自体にも弾性があるので、締め紐長さ調整具３１の若干の変形が、締め紐を移動させやすくするように作用する。
【００２６】
上記した第１の係止スリット３８は、第１の案内スリット３４の左端が縦方向の右側中間部分、例えば、右側中央部分に連通するように、本体部３２の左側に縦方向に設けられている。
上記した第２の係止スリット４４は、第２の案内スリット３６の右端が縦方向の左側中間部分、例えば、左側中央部分に連通するように、本体部３２の右側に縦方向に設けられている。
したがって、第１の係止スリット３８と第２の係止スリット４４とは、平行して縦方向へ延びている。
【００２７】
このように、本体部３２に第１の係止スリット３８を設けることにより、第１の係止スリット３８を形成する壁部の厚さ方向（図１（ｃ）における上下方向）の端部が、係止エッジ３９を構成する。
同様に、本体部３２に第２の係止スリット４４を設けることにより、第２の係止スリット４４を形成する壁部の厚さ方向の端部が、係止エッジ４５を構成する。
【００２８】
そして、第１の係止スリット３８の両端、すなわち、第１の係止スリット３８の上下端には、締め紐の幅方向の端部を収容する端部収容孔４０，４２が設けられている。
この端部収容孔４０，４２は、第１の係止スリット３８の幅（図１（ａ）における左右方向）よりも大きな直径、例えば、第１の係止スリット３８の幅の、約１倍〜３倍の直径の孔とされている。
同様に、第２の係止スリット４４の両端、すなわち、第２の係止スリット４４の上下端には、締め紐の幅方向の端部を収容する端部収容孔４６，４８が設けられている。
この端部収容孔４６，４８は、第２の係止スリット４４の幅（図１（ａ）における左右方向）よりも大きな直径、例えば、第２の係止スリット４４の幅の、約１倍〜３倍の直径の孔とされている。
【００２９】
このように、第１の係止スリット３８の両端に端部収容孔４０，４２を設けることにより、第１の係止スリット３８を形成する壁部と端部収容孔４０，４２を形成する壁部との交差部分が、抵抗エッジ４１，４３を構成する。
同様に、第２の係止スリット４４の両端に端部収容孔４６，４８を設けることにより、第２の係止スリット４４を形成する壁部と端部収容孔４６，４８を形成する壁部との交差部分が、抵抗エッジ４７，４９を構成する。
【００３０】
上記した第１の係止スリット３８および第２の係止スリット４４の幅（図１（ａ）における左右方向）は、弾性変形可能な締め紐を引っ張って厚さを薄くした状態にすると、締め紐を移動させることができ、締め紐を引っ張るのを解除して厚くした状態にすると、締め紐を移動させことができなくなる間隔にされている。
【００３１】
また、一方（上方）の端部収容孔４０の端から第１の係止スリット３８を通過して他方（下方）の端部収容孔４２の端までの長さＬ、および、一方（上方）の端部収容孔４６の端から第２の係止スリット４４を通過して他方（下方）の端部収容孔４８の端までの長さＬは、締め紐の幅と同じか、締め紐幅よりも狭くされている。
【００３２】
なお、本体部３２は、成形時のひけや、補強を兼ねるとともに、成形材料を少なくするため、両主表面に周回する（環状の）肉抜き部を設けることにより、両主表面の周縁に環状の外周補強リブ５０を設けるとともに、両主表面の導入孔３３、第１、第２の案内スリット３４，３６、第１、第２の係止スリット３８，４４および端部収容孔４０，４２，４６，４８を囲む環状の内周補強リブ５１が設けられている。
【００３３】
上記した締め紐長さ調整具３１を用いた（利用した、使用した）この発明のマスクの実施例を、図面を参照して説明する。
【００３４】
図２はこの発明のマスクの第１実施例を示す図、図３は図２に示したマスクの使用例を示す説明図、図４は締め紐の締め紐長さ調整具への取付例を示す説明図であり、図１と同一または相当部分に同一符号を付し、その説明を省略する。
なお、以下のマスクの説明における上下、左右は、マスクの装着者から見た上下、左右とする。
【００３５】
図２および図３に示すマスク１は、カップ状に形成されたマスク本体部１１と、このマスク本体部１１に取り付けられた上、下側締め紐２１Ｕ，２１Ｄと、この上、下側締め紐２１Ｕ，２１Ｄに取り付けられた上、下側締め紐２１Ｕ，２１Ｄの有効長さを調整する締め紐長さ調整具３１とで構成されている。
【００３６】
上記したマスク本体部１１は、例えば、人の鼻、口を覆うように成形されたフィルタ部で構成されている。
このフィルタ部は、前面側を被う前面被い部分と、この前面被い部分の外周に設けられ、人の鼻、口の外周に当接する接顔布とで構成されているものもある。
そして、前面被い部分は、例えば、多層構造とされ、締め紐が溶着または接着できるように構成されている。
【００３７】
上記した上、下側締め紐２１Ｕ，２１Ｄは、弾性を有するゴムバンドなどで構成され、所定の長さと、所定の厚さと、所定の幅とを有している。
そして、上側締め紐２１Ｕは、マスク本体部１１の左端上側外面に一端（左端）が溶着などによって取り付けられ、マスク本体部１１の右端上側外面に他端（右端）が溶着などによって取り付けられている。
また、下側締め紐２１Ｄは、マスク本体部１１の左端下側外面に一端（左端）が溶着などによって取り付けられ、マスク本体部１１の右端下側外面に他端（右端）が溶着などによって取り付けられている。
【００３８】
次に、締め紐長さ調整具３１の上、下側締め紐２１Ｕ，２１Ｄへの取付の一例を、図４を参照して説明する。
【００３９】
まず、図４（ａ）に示すように、二重（２つ）折にした上側締め紐２１Ｕを導入孔３３内へ挿入する。
そして、２つ折にした上側締め紐２１Ｕの一方を引き延ばして厚さを薄くし、第１の案内スリット３４から第１の係止スリット３８へと移動させ、図４（ｂ）に示すように、上側締め紐２１Ｕの幅方向の両端を端部収容孔４０，４２内に位置させた状態で上側締め紐２１Ｕを引っ張る力を解除する。
【００４０】
このように、上側締め紐２１Ｕの幅方向の両端を端部収容孔４０，４２内に位置させた状態で上側締め紐２１Ｕを引っ張る力を解除すると、上側締め紐２１Ｕが元の状態の厚さに戻ることにより、上側締め紐２１Ｕは第１の係止スリット３８内に係止され、両端部が端部収容孔４０，４２内に位置する状態となる。
【００４１】
同様に、２つ折にした上側締め紐２１Ｕの他方を引き延ばして厚さを薄くして、第２の係止スリット４４内に係止させ、両端部を端部収容孔４６，４８内に位置させることにより、図４（ｃ）に示すように、上側締め紐２１Ｕに締め紐長さ調整具３１を取り付けることができる。
【００４２】
そして、同様にして、下側締め紐２１Ｄにも締め紐長さ調整具３１を取り付けることにより、図２に示すマスク１とすることができる。
【００４３】
上述したように、この発明の締め紐長さ調整具３１によれば、導入孔３３と第１、第２の係止スリット３８，４４とが第１、第２の案内スリット３４，３６によって連通しているので、上、下側締め紐２１Ｕ，２１Ｄをマスク本体１１に取り付けた後からでも、締め紐長さ調整具３１を上、下側締め紐２１Ｕ，２１Ｄに取り付けることができる。
【００４４】
また、締め紐長さ調整具３１は、第１の係止スリット３８と第１の案内スリット３４とが交差しているとともに、第１の係止スリット３８の縦方向の中間部分に第１の案内スリット３４が連通し、第２の係止スリット４４と第２の案内スリット３６とが交差しているとともに、第２の係止スリット４４の縦方向の中間部分に第１の案内スリット３６が連通している。
したがって、上、下側締め紐２１Ｕ，２１Ｄの有効長さを調整する際、上、下側締め紐２１Ｕ，２１Ｄの２つ折りした部分を引っ張っても、第１の係止スリット３８および第２の係止スリット４４を形成する壁部が、上、下側締め紐２１Ｕ，２１Ｄが間隔を狭める方向へ近づくのを阻止するため、上、下側締め紐２１Ｕ，２１Ｄが第１、第２の係止スリット３８，４４から第１、第２の案内スリット３４，３６へ抜け出なくなる。
【００４５】
また、第１の係止スリット３８の両端に端部収容孔４０，４２が設けられて抵抗エッジ４１，４３が形成されるとともに、第２の係止スリット４４の両端に端部収容孔４６，４８が設けられて抵抗エッジ４７，４９が形成されているので、上、下側締め紐２１Ｕ，２１Ｄの幅方向の端部が中央へ異動するのを抵抗エッジ４１，４３，４７，４９によって阻止されるため、上、下側締め紐２１Ｕ，２１Ｄが第１、第２の係止スリット３８，４４から第１、第２の案内スリット３４，３６へ一層抜け難くなる。
【００４６】
また、第１の案内スリット３４に第１のガイド部３５が設けられ、第２の案内スリット３６に第２のガイド部３７が設けられているので、導入孔３３から第１、第２の係止スリット３８，４４への上、下側締め紐２１Ｕ，２１Ｄの移動を容易に行うことができる。
【００４７】
また、第１の係止スリット３８の端部に係止エッジ３９が形成されるとともに、第２の係止スリット４４の端部に係止エッジ４５が形成されているので、上、下側締め紐２１Ｕ，２１Ｄが長さ方向に引っ張られて有効長さが長くなるのを係止エッジ３９，４５によって阻止されるため、上、下側締め紐２１Ｕ，２１Ｄの有効長さが変化し難くなる。
【００４８】
次に、マスク１の装着の一例について説明する。
【００４９】
まず、マスク本体部１１の下側に位置する下側締め紐２１Ｄに頭部を挿入し、マスク本体部１１を、鼻および口を被うように装着した後、下側締め紐２１Ｄを頭部の後方下部に沿わせる。
【００５０】
そして、マスク本体部１１の上側に位置する上側締め紐２１Ｕを頭部の後方上部に沿わせることにより、図３に示すように、マスク１を、２本紐オーバーヘッドタイプとして装着できる。
【００５１】
このようにしてマスク１を装着した状態で、上、下側締め紐２１Ｕ，２１Ｄの締め付け力が強かったり、弱い場合は、上、下側締め紐２１Ｕ，２１Ｄの２つ折りにした部分を引っ張って薄くし、締め紐長さ調整具３１を操作して上、下側締め紐２１Ｕ，２１Ｄに対して移動させ、上、下側締め紐２１Ｕ，２１Ｄの環状部分の長さ、すなわち、有効長さを所望の長さに調整することにより、所望の締め付け力に調整する。
【００５２】
図５はこの発明のマスクの第２実施例を示す正面図、図６は図２に示したマスクの使用例を示す説明図であり、図１〜図４と同一または相当部分に同一符号を付し、その説明を省略する。
【００５３】
図５および図６に示すマスク１Ａは、カップ状に形成されたマスク本体部１１と、このマスク本体部１１に取り付けられた左、右側締め紐２１Ｌ，２１Ｒと、この左、右側締め紐２１Ｌ，２１Ｒに取り付けられた左、右側締め紐２１Ｌ，２１Ｒの有効長さを調整する締め紐長さ調整具３１とで構成されている。
【００５４】
上記した左、右側締め紐２１Ｌ，２１Ｒは、弾性を有するゴムバンドなどで構成され、所定の長さと、所定の厚さと、所定の幅とを有している。
そして、左側締め紐２１Ｌは、マスク本体部１１の左端上側外面に一端（上端）が溶着などによって取り付けられ、マスク本体部１１の左端下側外面に他端（下端）が溶着などによって取り付けられている。
また、右側締め紐２１Ｒは、マスク本体部１１の右端上側外面に一端（上端）が溶着などによって取り付けられ、マスク本体部１１の右端下側外面に他端（下端）が溶着などによって取り付けられている。
【００５５】
次に、マスク１Ａの装着の一例について説明する。
【００５６】
まず、マスク本体部１１を、鼻および口を被うように装着した後、マスク本体部１１の左側に位置する左側締め紐２１Ｌに左側の耳にかけ、右側締め紐２１Ｒを右側の耳にかけることにより、図６に示すように、マスク１Ａを耳かけタイプとして装着できる。
【００５７】
このようにしてマスク１Ａを装着した状態で、左、右側締め紐２１Ｌ，２１Ｒの締め付け力が強かったり、弱い場合は、左、右側締め紐２１Ｌ，２１Ｒの２つ折りにした部分を引っ張って薄くし、締め紐長さ調整具３１を操作して左、右側締め紐２１Ｌ，２１Ｒに対して移動させ、左、右側締め紐２１Ｌ，２１Ｒの環状部分の長さ、すなわち、有効長さを所望の長さに調整することにより、所望の締め付け力に調整する。
【００５８】
図７はこの発明のマスクの第３実施例を示す正面図、図８は図７に示したマスクの使用例を示す説明図であり、図１〜図６と同一または相当部分に同一符号を付し、その説明を省略する。
【００５９】
図７および図８に示すマスク１Ｂは、カップ状に形成されたマスク本体部１１と、このマスク本体部１１に取り付けられた締め紐２１と、この締め紐２１に取り付けられた締め紐２１の有効長さを調整する締め紐長さ調整具３１とで構成されている。
【００６０】
上記した締め紐２１は、弾性を有するゴムバンドなどで構成され、所定の長さと、所定の厚さと、所定の幅とを有している。
そして、締め紐２１は、マスク本体部１１の左右端部に上下に沿わせ、マスク本体部１１の左右端部を折り返して溶着することによって形成された孔内に、上下動可能に収容されて取り付けられている。
そして、締め紐２１の両端に締め紐長さ調整具３１が取り付けられている。
なお、図７では締め紐長さ調整具３１をマスク本体部１１の下側に配置させているが、締め紐長さ調整具３１をマスク本体部１１の上側に配置してもよい。
【００６１】
次に、マスク１Ｂの装着の一例について説明する。
【００６２】
まず、マスク本体部１１の下側に位置する締め紐２１の部分に頭部を挿入し、マスク本体部１１を、鼻および口を被うように装着した後、マスク本体部１１の下側に位置する締め紐２１の部分を頭部の後方下部に沿わせる。
【００６３】
そして、マスク本体部１１の上側に位置する締め紐２１の部分を引き上げて頭部の後方上部に沿わせることにより、図８に示すように、マスク１Ｂを、１本紐オーバーヘッドタイプとして装着できる。
【００６４】
このようにしてマスク１Ｂを装着した状態で、締め紐２１の締め付け力が強かったり、弱い場合は、締め紐２１の端部を引っ張って薄くし、締め紐長さ調整具３１を操作して締め紐２１に対して移動させ、締め紐２１の環状部分の長さ、すなわち、有効長さを所望の長さに調整することにより、所望の締め付け力に調整する。
【００６５】
図９はこの発明の締め紐調整具の他の実施例を示す図で、（ａ）はこの発明の締め紐長さ調整具の第２実施例を示す平面図、（ｂ）はこの発明の締め紐長さ調整具の第３実施例を示す平面図、（ｃ）はこの発明の締め紐長さ調整具の第４実施例を示す平面図であり、図１〜図８と同一または相当部分に同一符号を付し、その説明を省略する。
【００６６】
図９（ａ）に示す締め紐長さ調整具３１Ａが図１に示す締め紐長さ調整具３１と異なるところは、第１の係止スリット３８Ａと第２の係止スリット４４Ａとが互いに外側へ凸状（円弧状）に膨らんで縦方向へ延びて対向しているところである。
【００６７】
図９（ｂ）に示す締め紐長さ調整具３１Ｂが図１に示す締め紐長さ調整具３１と異なるところは、第１の係止スリット３８Ｂと第２の係止スリット４４Ｂとが互いに内側へ凹状（円弧状）に凹んで縦方向へ延びて対向しているところである。
【００６８】
図９（ｃ）に示す締め紐長さ調整具３１Ｃが図１に示す締め紐長さ調整具３１と異なるところは、第１の係止スリット３８Ｃと第２の係止スリット４４Ｃとが互いに波形で縦方向へ延びて対向しているところである。
【００６９】
図９（ａ）〜（ｃ）に示す形状の締め紐長さ調整具３１Ａ〜３１Ｃも、図１に示した締め紐長さ調整具３１と同様に、締め紐の長さを調整することができ、同様な効果を得ることができる。
なお、図９（ａ）に示す締め紐長さ調整具３１Ａは、締め紐を引っ張った場合、締め紐の幅方向の端部が互いに離れる方向へ移動しようとする。
したがって、締め紐が第１、第２の係止スリット３８Ａ，４４Ａから一層抜け難くなる。
【００７０】
図１０はこの発明の締め紐調整具のさらに他の実施例を示す図で、（ａ）はこの発明の締め紐長さ調整具の第５実施例を示す平面図、（ｂ）はこの発明の締め紐長さ調整具の第６実施例を示す平面図、（ｃ）はこの発明の締め紐長さ調整具の第７実施例を示す平面図であり、図１〜図９と同一または相当部分に同一符号を付し、その説明を省略する。
【００７１】
図１０（ａ）に示す締め紐長さ調整具３１Ｄが図９（ａ）に示す締め紐長さ調整具３１Ａと異なるところは、外形が円形であるところである。
【００７２】
図１０（ｂ）に示す締め紐長さ調整具３１Ｅが図９（ｂ）に示す締め紐長さ調整具３１Ｂと異なるところは、外形が円形であるところである。
【００７３】
図１０（ｃ）に示す締め紐長さ調整具３１Ｆが図９（ｃ）に示す締め紐長さ調整具３１Ｃと異なるところは、外形が円形であるところである。
【００７４】
図１０（ａ）〜（ｃ）に示す形状の締め紐長さ調整具３１Ｄ〜３１Ｆも、図１に示した締め紐長さ調整具３１と同様に、締め紐の長さを調整することができ、同様な効果を得ることができる。
なお、図１０（ａ）に示す締め紐長さ調整具３１Ｄは、締め紐を引っ張った場合、締め紐の幅方向の端部が互いに離れる方向へ移動しようとする。
したがって、締め紐が第１、第２の係止スリット３８Ａ，４４Ａから一層抜け難くなる。
【００７５】
図１１はこの発明の締め紐長さ調整具の第８実施例を示す平面図であり、図１〜図１０と同一または相当部分に同一符号を付し、その説明を省略する。
【００７６】
図１１に示す締め紐長さ調整具３１Ｇは、本体部３２と、この本体部３２と一体成形されたフック部５３とで構成されている。
【００７７】
上記した締め紐長さ調整具３１Ｇは、装着者がマスクを装着するときに使用する締め紐の有効長さを調整するもので、所定の強度を有するプラスチック（樹脂）、例えば、ポリプロピレンで、板状に成形されている。
そして、フック部５３は、導入孔３３、第１、第２の係止スリット３８，４４と同様に縦方向へ延び、第１、第２の案内スリット３４，３６と交差している。
【００７８】
この締め紐長さ調整具３１Ｄは、締め紐長さ調整具３１、３１Ａ〜３１Ｃと同様に、締め紐の長さを調整することができる。
【００７９】
図１２はこの発明のマスクの第４実施例を示す正面図、図１３は図１２に示したマスクの使用例を示す説明図であり、図１〜図１１と同一または相当部分に同一符号を付し、その説明を省略する。
【００８０】
図１２および図１３に示すマスク１Ｃは、カップ状に形成されたマスク本体部１１と、このマスク本体部１１に取り付けられた左、右側締め紐２１Ｌ，２１Ｒと、右側締め紐２１Ｒに取り付けられた右側締め紐２１Ｒの有効長さを調整する締め紐長さ調整具３１Ｇとで構成されている。
なお、締め紐長さ調整具３１Ｇが右側締め紐２１Ｒに取り付けられているが、締め紐長さ調整具３１Ｇを左側締め紐２１Ｒに取り付けたり、締め紐長さ調整具３１Ｇを左、右側締め紐２１Ｌ，２１Ｒに取り付けてもよい。
【００８１】
次に、マスク１Ｃの装着の一例について説明する。
【００８２】
まず、マスク本体部１１を、鼻および口を被うように装着した後、左、右側締め紐２１Ｌ，２１Ｒを耳の上下を経由するように沿わせ、フック部５３を左側締め紐２１Ｌに引っ掛けることにより、図１３に示すように、マスク１Ｃを、サイドフックタイプとして装着できる。
【００８３】
このようにしてマスク１Ｃを装着した状態で、左、右側締め紐２１Ｌ，２１Ｒの締め付け力が強かったり、弱い場合は、右側締め紐２１Ｒの２つ折りにした部分を引っ張って薄くし、締め紐長さ調整具３１Ｇを操作して右側締め紐２１Ｒに対して移動させ、右側締め紐２１Ｒの環状部分の長さ、すなわち、有効長さを所望の長さに調整することにより、所望の締め付け力に調整する。
【００８４】
図１４は締め紐長さ調整具の参考例を示す平面図であり、図１〜図１３と同一または相当部分に同一符号を付し、その説明を省略する。
【００８５】
図１４に示す締め紐長さ調整具３１Ｈは、装着者がマスクを装着するときに使用する締め紐の有効長さを調整するもので、所定の強度を有するプラスチック（樹脂）、例えば、ポリプロピレンで、平面視長方形（正方形）をした板状に成形され、その四隅の角を丸めた本体部３２Ｂによって構成されている。
【００８６】
そして、本体部３２Ｂには、第１、第２の案内スリット３４，３６、第１、第２のガイド部３５，３７、第１、第２の係止スリット３８，４４、係止エッジ３９，４５、端部収容孔４０，４２，４６，４８、抵抗エッジ４１，４３，４７，４９、外周、内周補強リブ５０，５１が設けられている。
なお、第１、第２の案内スリット３４，３６は、互いに反対方向へ開放している。
【００８７】
この締め紐長さ調整具３１Ｈは、マスクを装着するための張力が締め紐に、第１、第２の案内スリット３４，３６から抜け出るように作用しているので、２つ折りにした締め紐の部分を引っ張って締め紐の有効長さを調整しようとすると、締め紐が第１、第２の係止スリット３８，４４から第１、第２の案内スリット３４，３６を介して抜け出る可能性がある。
【００８８】
上記した実施例において、本体部３２の外形を長方形、円形とした例を示したが、本体部は他の形状、例えば、楕円形などであってもよい。
また、マスク本体１１に弁を設けたマスクであってもよい。
【符号の説明】
【００８９】
１，１Ａ        マスク
１Ｂ，１Ｃ      マスク
１１            マスク本体部
２１            締め紐
２１Ｕ          上側締め紐
２１Ｄ          下側締め紐
２１Ｌ          左側締め紐
２１Ｒ          右側締め紐
３１，３１Ａ    締め紐長さ調整具
３１Ｂ，３１Ｃ  締め紐長さ調整具
３１Ｄ，３１Ｅ  締め紐長さ調整具
３１Ｆ，３１Ｇ  締め紐長さ調整具
３１Ｈ          締め紐長さ調整具
３２ 本体部
３２Ｂ          本体部
３３            導入孔
３４            第１の案内スリット
３５            第１のガイド部
３６            第２の案内スリット
３７            第２のガイド部
３８，３８Ａ    第１の係止スリット
３８Ｂ，３８Ｃ  第１の係止スリット
３９            係止エッジ
４０，４２      端部収容孔
４１，４３      抵抗エッジ
４４，４４Ａ    第２の係止スリット
４４Ｂ，４４Ｃ  第２の係止スリット
４５            係止エッジ
４６，４８      端部収容孔
４７，４９      抵抗エッジ
５０            外周補強リブ
５１            内周補強リブ
５３            フック部
【図１】
0005555058.tif 000002
【図２】
0005555058.tif 000003
【図３】
0005555058.tif 000004
【図４】
0005555058.tif 000005
【図５】
0005555058.tif 000006
【図６】
0005555058.tif 000007
【図７】
0005555058.tif 000008
【図８】
0005555058.tif 000009
【図９】
0005555058.tif 000010
【図１０】
0005555058.tif 000011
【図１１】
0005555058.tif 000012
【図１２】
0005555058.tif 000013
【図１３】
0005555058.tif 000014
【図１４】
0005555058.tif 000015